(57)【要約】【課題】熱交換手段や送風手段の設置台数を低減した簡素な構成で各空間の冗長化を図る事ができ、各空間が無空調状態となってしまうリスクを低減することが可能な空調システムを提供すること。【解決手段】空調システム１００は、第一空間１に対して第一還気路２０及び第一給気路３０を介して接続された第一熱交換器１１と、第二空間２に対して第二還気路５０及び第二給気路６０を介して接続された第二熱交換器４１と、第一熱交換器１１にて冷却又は加熱された空気の送風を行う第一送風機１２と、第二熱交換器４１にて冷却又は加熱された空気の送風を行う第二送風機４２と、を備え、第二熱交換器４１又は第二送風機４２の非稼働時において、第一熱交換器１１から、第一空間１及び第二空間２を少なくとも介して、第一熱交換器１１へと第一送風機１２を用いて空気を流動させる。【選択図】図１
2015212588.tif 000002
【特許請求の範囲】
【請求項１】
第一空間及び第二空間に対する空調を行う空調システムであって、
前記第一空間に対して第一還気路及び第一給気路を介して接続された第一熱交換手段であって、空気の冷却又は加熱を行う第一熱交換手段と、
前記第二空間に対して第二還気路及び第二給気路を介して接続された第二熱交換手段であって、空気の冷却又は加熱を行う第二熱交換手段と、
前記第一熱交換手段にて冷却又は加熱された空気の送風を行う第一送風手段と、
前記第二熱交換手段にて冷却又は加熱された空気の送風を行う第二送風手段と、を備え、
通常時において、前記第一熱交換手段から、前記第一給気路、前記第一空間、及び前記第一還気路を順次介して、前記第一熱交換手段へと前記第一送風手段を用いて空気を流動させると共に、前記第二熱交換手段から、前記第二給気路、前記第二空間、及び前記第二還気路を順次介して、前記第二熱交換手段へと前記第二送風手段を用いて空気を流動させ、
前記第二熱交換手段又は前記第二送風手段の非稼働時において、前記第一熱交換手段から、前記第一空間及び前記第二空間を少なくとも介して、前記第一熱交換手段へと前記第一送風手段を用いて空気を流動させる、
空調システム。
【請求項２】
前記第一還気路、前記第一給気路、前記第二還気路、及び前記第二給気路を介することなく、前記第一空間及び前記第二空間の相互間に空気を流動可能とした、
請求項１に記載の空調システム。
【請求項３】
前記第一空間及び前記第二空間は、前記第一空間及び前記第二空間の相互間に開閉自在に形成された開閉扉により相互に接続され、
前記開閉扉は、
前記通常時に閉鎖状態となることにより、前記第一空間及び前記第二空間の相互間に空気を流動不能とし、
前記第二熱交換手段又は前記第二送風手段の非稼働時に開放状態となることにより、前記第一空間及び前記第二空間の相互間に空気を流動可能とする、
請求項２に記載の空調システム。
【請求項４】
前記第一給気路と前記第二給気路とを相互に接続するバイパス給気路を備え、
前記第二熱交換手段又は前記第二送風手段の非稼働時において、前記第一熱交換手段から、前記第一給気路、前記バイパス給気路、及び前記第二給気路を順次介して、前記第二空間へと前記第一送風手段を用いて空気を流動させる、
請求項２又は３に記載の空調システム。
【請求項５】
前記第一還気路と前記第二還気路とを相互に接続するバイパス還気路を備え、
前記第二熱交換手段又は前記第二送風手段の非稼働時において、前記第二空間から、前記第二還気路、前記バイパス還気路、及び前記第一還気路を順次介して、前記第一熱交換手段へと前記第一送風手段を用いて空気を流動させる、
請求項２から４のいずれか一項に記載の空調システム。
【発明の詳細な説明】
【技術分野】
【０００１】
本発明は、空調システムに関する。
【背景技術】
【０００２】
従来、空調対象室に対する空調を行う空調システムでは、概略的に、空気の冷却や加熱を行う熱交換手段や、熱交換手段にて冷却又は加熱された空気を送風する送風手段を備えている。ここで、故障やメンテナンス等に伴ってこれらの熱交換手段又は送風手段が非稼働状態となる事があるが、このことに伴って空調対象室が無空調状態となってしまうと、空調対象室の環境を悪化させてしまったり、空調対象室において事業等を継続できなくなってしまったりする可能性があった。特に夏季に空調対象室に冷却空気が供給されないと、当該空調対象室に備えられた機器等が熱過多によって故障してしまう可能性があった。したがって、これらの熱交換手段又は送風手段が非稼働状態となった場合においても空調対象室が無空調状態となってしまうことを防止するための空調システムが提案されている。
【０００３】
このような空調システムとしては、例えば、一つの空調対象室に対してメインの空調機（上述した熱交換手段及び送風手段を含む）に加えて予備の空調機を設け、メインの空調機が故障した際に予備の空調機を稼働させることによって冗長化を図る空調システムが提案されている（例えば、特許文献１参照）。
【先行技術文献】
【特許文献】
【０００４】
【特許文献１】特公平７−６６５９号公報
【発明の概要】
【発明が解決しようとする課題】
【０００５】
しかし、特許文献１に係る空調システムは、空調対象室ごとにメインの空調機と予備の空調機を設ける必要があるため空調機の設置台数が増大し、これに伴って空調機の設置費用の増大、管理コストの増大、及び設置スペースの増大等といった様々な問題が生じる可能性があった。特に、複数の空調対象室に対して空調を行う必要がある場合には、空調対象室毎に予備の空調機を設置する必要があるため、このような問題はさらに深刻なものとなる可能性があった。したがって、複数の空間に対する空調を行う場合においても、空調機（すなわち熱交換手段や送風手段）の設置台数を低減した簡素な構成で各空間の冗長化を図る事ができ、各空間が無空調状態となってしまうリスクを低減することが可能な空調システムが要望されていた。
【０００６】
本発明は、上記に鑑みてなされたものであって、複数の空間に対する空調を行う場合においても、熱交換手段や送風手段の設置台数を低減した簡素な構成で各空間の冗長化を図る事ができ、各空間が無空調状態となってしまうリスクを低減することが可能な空調システムを提供することを目的とする。
【課題を解決するための手段】
【０００７】
上述した課題を解決し、目的を達成するために、請求項１に記載の空調システムは、第一空間及び第二空間に対する空調を行う空調システムであって、前記第一空間に対して第一還気路及び第一給気路を介して接続された第一熱交換手段であって、空気の冷却又は加熱を行う第一熱交換手段と、前記第二空間に対して第二還気路及び第二給気路を介して接続された第二熱交換手段であって、空気の冷却又は加熱を行う第二熱交換手段と、前記第一熱交換手段にて冷却又は加熱された空気の送風を行う第一送風手段と、前記第二熱交換手段にて冷却又は加熱された空気の送風を行う第二送風手段と、を備え、通常時において、前記第一熱交換手段から、前記第一給気路、前記第一空間、及び前記第一還気路を順次介して、前記第一熱交換手段へと前記第一送風手段を用いて空気を流動させると共に、前記第二熱交換手段から、前記第二給気路、前記第二空間、及び前記第二還気路を順次介して、前記第二熱交換手段へと前記第二送風手段を用いて空気を流動させ、前記第二熱交換手段又は前記第二送風手段の非稼働時において、前記第一熱交換手段から、前記第一空間及び前記第二空間を少なくとも介して、前記第一熱交換手段へと前記第一送風手段を用いて空気を流動させる。
【０００８】
請求項２に記載の空調システムは、請求項１に記載の空調システムにおいて、前記第一還気路、前記第一給気路、前記第二還気路、及び前記第二給気路を介することなく、前記第一空間及び前記第二空間の相互間に空気を流動可能とした。
【０００９】
請求項３に記載の空調システムは、請求項２に記載の空調システムにおいて、前記第一空間及び前記第二空間は、前記第一空間及び前記第二空間の相互間に開閉自在に形成された開閉扉により相互に接続され、前記開閉扉は、前記通常時に閉鎖状態となることにより、前記第一空間及び前記第二空間の相互間に空気を流動不能とし、前記第二熱交換手段又は前記第二送風手段の非稼働時に開放状態となることにより、前記第一空間及び前記第二空間の相互間に空気を流動可能とする。
【００１０】
請求項４に記載の空調システムは、請求項２又は３に記載の空調システムにおいて、前記第一給気路と前記第二給気路とを相互に接続するバイパス給気路を備え、前記第二熱交換手段又は前記第二送風手段の非稼働時において、前記第一熱交換手段から、前記第一給気路、前記バイパス給気路、及び前記第二給気路を順次介して、前記第二空間へと前記第一送風手段を用いて空気を流動させる。
【００１１】
請求項５に記載の空調システムは、請求項２から４のいずれか一項に記載の空調システムにおいて、前記第一還気路と前記第二還気路とを相互に接続するバイパス還気路を備え、前記第二熱交換手段又は前記第二送風手段の非稼働時において、前記第二空間から、前記第二還気路、前記バイパス還気路、及び前記第一還気路を順次介して、前記第一熱交換手段へと前記第一送風手段を用いて空気を流動させる。
【発明の効果】
【００１２】
請求項１に記載の空調システムによれば、第二熱交換手段又は第二送風手段の非稼働時に、第一熱交換手段から、第一空間及び第二空間を介して、第一熱交換手段へと空気を流動させるので、第二熱交換手段又は第二送風手段が故障した際やこれらのメンテナンスを行う際においても、第一熱交換手段にて冷却又は加熱された空気を第二空間に対して送風でき、第一熱交換手段を第一空間と第二空間とに共有できるので、熱交換手段や送風手段の設置台数を低減した簡素な構成で各空間の冗長化を図る事ができ、各空間が無空調状態となってしまうリスクを低減することが可能となる。
【００１３】
請求項２に記載の空調システムによれば、第一還気路、第一給気路、第二還気路、及び第二給気路を介することなく、第一空間及び第二空間の相互間に空気を流動可能としたので、極めて簡素な構成により第一空間及び第二空間を介して空気を流動させることが可能となる。
【００１４】
請求項３に記載の空調システムによれば、通常時に閉鎖状態となり、第二熱交換手段又は第二送風手段の非稼働時に開放状態となる開閉扉を備えるので、通常時には第一空間及び第二空間の相互間に空気を流動不能とすることで、各空間を相互に異なる空調条件に設定可能となると共に、第二熱交換手段又は第二送風手段の非稼働時には第一空間及び第二空間の相互間に空気を流動可能とすることで、第二空間が無空調状態となってしまうことに伴うリスクを低減することが可能となる。
【００１５】
請求項４に記載の空調システムによれば、第一給気路と第二給気路とを相互に接続するバイパス給気路を備えるので、極めて簡素な構成により第一熱交換手段から第二空間へと空気を流動させることができ、第二空間が無空調状態となってしまうことに伴うリスクを低減することが可能となる。
【００１６】
請求項５に記載の空調システムによれば、第一還気路と第二還気路とを相互に接続するバイパス還気路を備えるので、極めて簡素な構成により第二空間の気圧を低下させて、第一熱交換手段にて冷却又は加熱された空気を第二空間に対して呼び込むことができ、第二空間が無空調状態となってしまうことに伴うリスクを低減することが可能となる。
【図面の簡単な説明】
【００１７】
【図１】本発明の実施の形態１に係る空調システムを概略的に示す側面図であって、図１（ａ）は通常時（後述する）、図１（ｂ）は緊急時（後述する）を示す図である。
【図２】本発明の実施の形態２に係る空調システムを概略的に示す側面図であって、図２（ａ）は通常時、図２（ｂ）は緊急時を示す図である。
【図３】本発明の実施の形態３に係る空調システムを概略的に示す側面図であって、図３（ａ）は通常時、図３（ｂ）は緊急時を示す図である。
【発明を実施するための形態】
【００１８】
以下、本発明に係る空調システムの実施の形態について図面を参照しつつ詳細に説明する。ただし、この実施の形態によって本発明が限定されるものではない。
【００１９】
［実施の形態の基本的概念］
まずは、実施の形態の基本的概念について説明する。実施の形態は、概略的に、第一空間及び第二空間に対する空調を行う空調システムである。ここで、「第一空間」とは、空調対象となる一方の空間であり、その用途は任意であるが、実施の形態においては公知のクリーンルームとして利用される室であるものとして説明する。また、「第二空間」とは、空調対象となる他方の空間であり、その用途は任意であるが、実施の形態においては第一空間と同様に公知の他のクリーンルームとして利用される室であるものとして説明する。なお、これらの第一空間及び第二空間の具体的な構造については、特記する場合を除いて公知であり、その詳細な説明を省略する。また、第一空間や第二空間の形状や広さ等は任意に定めることができるが、実施の形態においては、説明の簡略化のために第一空間と第二空間が同一形状及び同一広さの室として形成されているものとして説明する。
【００２０】
［実施の形態の具体的内容］
次に、実施の形態の具体的内容について説明する。
【００２１】
（実施の形態１）
まずは、実施の形態１について説明する。
【００２２】
（構成）
最初に、本実施の形態１に係る空調システム１００の構成を説明する。図１は、本実施の形態１に係る空調システム１００を概略的に示す側面図であって、図１（ａ）は通常時、図１（ｂ）は緊急時を示す図である。なお、この「通常時」及び「緊急時」の説明については後述する。ここで、この図１に示すように、空調システム１００は、概略的に、第一空調機１０、第一還気路２０、第一給気路３０、第二空調機４０、第二還気路５０、第二給気路６０、バイパス給気路７０、第一給気ダンパＭＤ１、第二給気ダンパＭＤ２、及びバイパス給気ダンパＭＤ３を備え、これに加えて図示しない制御部を備えて構成されている。なお、これら第一空調機１０、第一還気路２０、第一給気路３０、及び第一給気ダンパＭＤ１にて構成されるユニットを「第一系統」と必要に応じて称し、第二空調機４０、第二還気路５０、第二給気路６０、及び第二給気ダンパＭＤ２にて構成されるユニットを「第二系統」と必要に応じて称して説明する。なお、図１における各還気路や各給気路は、空気の流動が有る流路については実線で図示し、空気の流動が無い流路については点線で図示している。また、各還気路や各給気路における空気の流動の方向を実線の矢印にて図示している。なお、このように第一系統及び第二系統においては空気が循環するが、いずれかの位置を基準として風上側を「上流」、風下側を「下流」と必要に応じて称して説明する。
【００２３】
ここで、「通常時」とは、第一系統や第二系統が正常に空気を流動可能な場合を示す。また、「緊急時」とは、第一系統又は第二系統が正常に空気を流動出来ない場合を示し、例えば第一系統や第二系統を構成するいずれかの装置等が故障した場合や、これらの装置等をメンテナンスする場合等を含む概念である。なお、本実施の形態１においては、第二系統の第二空調機４０（特に、第二空調機４０に備えられた後述する第二熱交換器４１）が故障した場合を想定して説明を行う。
【００２４】
（構成−第一空間及び第二空間）
ここで、まずは本実施の形態１に係る空調システム１００が適用される第一空間１及び第二空間２について説明する。まず、第一空間１及び第二空間２は相互に水平方向に沿って隣接する空間であって、これらの空間を相互に隔離する壁部に形成された開口部３を介して、空間的に相互に接続されている。この開口部３の大きさは任意であるが、例えば人が通行可能な程度の大きさとして形成することができる。ここで、当該開口部３の全面にかけて開閉自在な開閉扉４が設けられており、この開閉扉４は閉鎖状態においては開口部３を完全に遮蔽し、開放状態においては、第一空間１と第二空間２との相互間に空気が流動可能となるように開口部３に空気の流路を形成する。
【００２５】
また、第一空間１の天井部には第一還気口１ａ及び第一給気口１ｂが設けられている。第一還気口１ａは第一還気路２０と接続される公知の還気口であって、第一空間１の空気を第一空調機１０に取り入れるための還気口である。第二給気口２ｂは第一給気路３０と接続される公知の給気口であって、第一空調機１０により空調された空気を第一空間１に給気するための給気口である。
【００２６】
また、第二空間２の天井部には第二還気口２ａ及び第二給気口２ｂが設けられている。第二還気口２ａは第二還気路５０と接続される公知の還気口であって、第二空間２の空気を第二空調機４０に取り入れるための還気口である。第二給気口２ｂは第二給気路６０と接続される公知の給気口であって、第二空調機４０により空調された空気を第二空間２に給気するための給気口である。
【００２７】
（構成−空調システム）
続いて、空調システム１００を構成する各構成要素について説明する。
【００２８】
（構成−空調システム−第一空調機）
第一空調機１０は、主に第一空間１の空気調和を行う空調手段である。この第一空調機１０は、第一熱交換器１１と、第一送風機１２を備えて構成されている。
【００２９】
第一熱交換器１１は、第一空間１に対して第一還気路２０及び第一給気路３０を介して接続された第一熱交換手段であって、空気の冷却又は加熱を行う第一熱交換手段である。この第一熱交換器１１の具体的な構成は任意であるが、本実施の形態１では、空気の冷却を行う機構としての公知の水冷式の冷却コイルと、空気の加熱を行う機構としての公知の加熱コイルの両方を備えて構成されているものとして説明する。そして、これらの冷却コイルと加熱コイルは相互に切り換えて稼働可能であり、具体的には、第一熱交換器１１の冷房運転時には冷却コイルが稼働され、第一熱交換器１１の暖房運転時には加熱コイルが稼働されるように構成されている。なお、第一熱交換器１１の構成はこのような構成に限定されず、例えば水冷式の冷却コイルの代わりに空冷式の冷却コイル等といった公知の冷却手段を用いても構わないし、加熱コイルの代わりに公知の電気ヒータ等といった公知の加熱手段を用いても構わない。また、第一熱交換機を、このような冷却手段又は加熱手段のいずれか一方のみを備えるものとして構成しても構わない。
【００３０】
ここで、図１においては、第一熱交換器１１は第一還気路２０から取り入れた空気のみを冷却又は加熱するものとして図示しているが、第一還気路２０のいずれかの位置には、外部空間と接続される第一外気路（図示省略）を取り付けて、この第一外気路から取り入れた外気と、第一還気路２０から取り入れた空気の混合空気を冷却又は加熱しても構わない。ただし、このような外気を取り入れる構成については公知であるため詳細な説明を省略する。
【００３１】
（構成−空調システム−第一送風機）
第一送風機１２は、第一熱交換器１１にて冷却又は加熱された空気の送風を行う第一送風手段である。この第一送風機１２は、具体的には送風ファンを備えており、この送風ファンを回転させることにより空気の送風を行う公知の送風機として構成されている。なお、図１では第一熱交換器１１の下流に第一送風機１２を配置して構成しているが、これに限らず第一熱交換器１１の上流に第一送風機１２を配置して構成しても構わない。なお、第一空調機１０のいずれかの位置に、通過する空気を清浄するための公知のフィルター（図示省略）を設置しても構わない。
【００３２】
（構成−空調システム−第一還気路）
第一還気路２０は、第一空間１と第一空調機１０との相互間に空気が流動可能となるように第一空間１の第一還気口１ａと第一空調機１０とを相互に接続する接続手段であって、公知のダクトとして構成されている。
【００３３】
（構成−空調システム−第一給気路）
第一給気路３０は、第一空間１と第一空調機１０との相互間に空気が流動可能となるように第一空間１の第一給気口１ｂと第一空調機１０とを相互に接続する接続手段であって、公知のダクトとして構成されている。この第一給気路３０の流路には第一給気ダンパＭＤ１が設けられており、この第一給気ダンパＭＤ１の開度を調節することにより、第一給気路３０を流動する空気の流量を調節することができる。
【００３４】
（構成−空調システム−第二空調機）
第二空調機４０は、主に第二空間２の空気調和を行う空調手段である。この第二空調機４０は、第二熱交換器４１と、第二送風機４２を備えて構成されている。
【００３５】
第二熱交換器４１は、第二空間２に対して第二還気路５０及び第二給気路６０を介して接続された第二熱交換手段であって、空気の冷却又は加熱を行う第二熱交換手段である。なお、この第二熱交換器４１は第一熱交換器１１と同様に構成できるため、その詳細な説明を省略する。
【００３６】
第二送風機４２は、第二熱交換器４１にて冷却又は加熱された空気の送風を行う第二送風手段である。なお、この第二送風機４２は、上述した第一送風機１２の説明における、第一送風機１２を第二送風機４２に置き換え、第一熱交換器１１を第二熱交換器４１に置き換えて同様に説明できるため、その詳細な説明を省略する。
【００３７】
（構成−空調システム−第二還気路）
第二還気路５０は、第二空間２と第二空調機４０との相互間に空気が流動可能となるように第二空間２の第二還気口２ａと第二空調機４０とを相互に接続する接続手段であって、公知のダクトとして構成されている。
【００３８】
（構成−空調システム−第二給気路）
第二給気路６０は、第二空間２と第二空調機４０との相互間に空気が流動可能となるように第二空間２の第二給気口２ｂと第二空調機４０とを相互に接続する接続手段であって、公知のダクトとして構成されている。この第二給気路６０の流路には第二給気ダンパＭＤ２が設けられており、この第二給気ダンパＭＤ２の開度を調節することにより、第二給気路６０を流動する空気の流量を調節することができる。
【００３９】
（構成−空調システム−バイパス給気路）
バイパス給気路７０は、第一給気路３０と第二給気路６０とを相互に接続するバイパス手段であって、公知のダクトとして構成されている。具体的には、バイパス給気路７０は、第一給気路３０における第一給気ダンパＭＤ１が設けられた位置よりも下流の位置と、第二給気路６０における第二給気ダンパＭＤ２が設けられた位置よりも下流の位置とを相互に空気が流動可能となるように接続している。このバイパス給気路７０の流路にはバイパス給気ダンパＭＤ３が設けられており、このバイパス給気ダンパＭＤ３の開度を調節することにより、バイパス給気路７０を流動する空気の流量を調節することができる。
【００４０】
（構成−空調システム−第一給気ダンパ）
第一給気ダンパＭＤ１は、第一給気路３０の風量を調節する風量調節手段であって、公知のダンパとして構成されている。この第一給気ダンパＭＤ１の具体的な種類は任意であり、本実施の形態１においては電動で開度を制御可能な公知のモーターダンパであるものとして説明するが、ハンドルにより手動で操作する公知の風量調整ダンパ等を用いても構わない。
【００４１】
（構成−空調システム−第二給気ダンパ）
第二給気ダンパＭＤ２は、第二給気路６０の風量を調節する風量調節手段であって、公知のダンパとして構成されている。なお、この第二給気ダンパＭＤ２は第一給気ダンパＭＤ１と同様に構成できるため、その詳細な説明を省略する。
【００４２】
（構成−空調システム−バイパス給気ダンパ）
バイパス給気ダンパＭＤ３は、バイパス給気路７０の風量を調節する風量調節手段であって、公知のダンパとして構成されている。なお、このバイパス給気ダンパＭＤ３は第一給気ダンパＭＤ１と同様に構成できるため、その詳細な説明を省略する。
【００４３】
（構成−空調システム−制御部）
制御部は、空調システム１００を制御する制御手段である。この図示しないＣＰＵ（Ｃｅｎｔｒａｌ  Ｐｒｏｃｅｓｓｉｎｇ  Ｕｎｉｔ）及びこのＣＰＵ上で解釈実行されるプログラムを含んで構成されている。この制御部は、上述した第一空調機１０及び第二空調機４０に対して制御信号を送信することにより、第一空調機１０及び第二空調機４０を稼働させ、あるいは稼働を停止させる。また、制御部は、各ダンパ（本実施の形態１においては、第一給気ダンパＭＤ１、第二給気ダンパＭＤ２、及びバイパス給気ダンパＭＤ３）に対して制御信号を送信することにより、各ダンパの開度を調節する。また、制御部は、開閉扉４に対して制御信号を送信することにより、開閉扉４を自動で開放又は閉鎖させる。なお、このような制御部の機能を達成するための具体的な構成については、特記する場合を除いて公知でありその詳細な説明を省略する。
【００４４】
（処理）
続いて、このように構成された空調システム１００により実行される処理について説明する。なお、以下の処理を実行するタイミングは任意であるが、本実施の形態１においては、制御部の電源がＯＮとなった場合に実行されるものとして説明する。
【００４５】
まずは、制御部の電源がＯＮとなった場合に制御部により実行される処理について説明する。まず、制御部は、第一空調機１０及び第二空調機４０に対して制御信号を送信し、第一空調機１０及び第二空調機４０を稼働させる。その後、制御部は、第一熱交換器１１、第一送風機１２、第二熱交換器４１、及び第二送風機４２が正常に稼働しているか否かを常に監視する。ただし、このような監視の具体的な方法については公知であるためその詳細な説明を省略する。
【００４６】
（処理−通常時）
次に、通常時に空調システム１００にて実行される処理について、図１（ａ）を参照して説明する。なお、通常時に空調システム１００にて実行される処理とは、すなわち、制御部が上記の監視において、第一熱交換器１１、第一送風機１２、第二熱交換器４１、及び第二送風機４２のいずれもが正常に稼働していると判定した場合に実行される処理である。
【００４７】
まず、制御部は、バイパス給気ダンパＭＤ３を閉じることによりバイパス給気路７０における空気の流動を不能とし、また、第一給気ダンパＭＤ１及び第二給気ダンパＭＤ２を開けることにより第一給気路３０及び第二給気路６０における空気の流動を可能とする。また、制御部は、開閉扉４を閉鎖状態とすることにより、第一空間１及び第二空間２の相互間における、開口部３を介した空気の流動を不能とする。
【００４８】
このような状態において第一空調機１０及び第二空調機４０が稼働している場合、第一空調機１０の第一熱交換器１１により熱交換された空気は、第一送風機１２により送風されて、第一給気路３０、及び第一給気口１ｂを介して第一空間１へと送風される。そして第一空間１に送風された空気は、第一還気口１ａ、及び第一還気路２０を介して再び第一空調機１０へと還気する。また、第二空調機４０の第二熱交換器４１により熱交換された空気は、第二送風機４２により送風されて、第二給気路６０、及び第二給気口２ｂを介して第二空間２へと送風される。そして第二空間２に送風された空気は、第二還気口２ａ、及び第二還気路５０を介して再び第二空調機４０へと還気する。
【００４９】
このように、通常時においては、第一給気路３０と第二給気路６０とを接続するバイパス給気路７０には空気が流動せず、また第一空間１と第二空間２との相互間の開口部３は開閉扉４により閉鎖されているため、第一系統を流動する空気と第二系統を流動する空気とが相互に干渉することはない。すなわち、通常時においては、第一系統により第一空間１の空調が行われ、第二系統により第二空間２の空調が行われる。
【００５０】
（処理−緊急時）
次に、緊急時に空調システム１００にて実行される処理について、図１（ｂ）を参照して説明する。なお、緊急時に空調システム１００にて実行される処理とは、すなわち、制御部が上記の監視において、第一熱交換器１１、第一送風機１２、第二熱交換器４１、及び第二送風機４２のいずれかが正常に稼働していないと判定した場合に実行される処理である。すなわち、通常時のようにバイパス給気ダンパＭＤ３を閉じて、第一給気ダンパＭＤ１及び第二給気ダンパＭＤ２を開けた状態において例えば第二熱交換器４１が故障して非稼働となった場合、第二空間２には空調済みの空気が行き渡らないため、第二空間２が無空調状態となってしまう。したがって、第二空間２を無空調状態としないために、制御部は以下の処理を実行する。なお、本実施の形態１では、第二熱交換器４１が正常に稼働していないと判定した場合の処理について説明する。
【００５１】
まず、制御部はバイパス給気ダンパＭＤ３を開けることによりバイパス給気路７０における空気の流動を可能とし、また、第二給気ダンパＭＤ２を閉じることにより第二給気路６０における当該第二給気ダンパＭＤ２が取り付けられた位置での空気の流動を不能とする。なお、制御部は、第一給気ダンパＭＤ１を通常時と同様に開けた状態に維持する。また、制御部は、開閉扉４を開放状態とすることにより、第一空間１及び第二空間２の相互間における、開口部３を介した空気の流動を可能とする。また、制御部は、第二熱交換器４１が稼働していない以上、第二送風機４２を稼働させることに意味は無いと判断して、第二送風機４２を非稼働とさせる。
【００５２】
このような状態において第一空調機１０が正常に稼働している場合、第一空調機１０の第一熱交換器１１により熱交換された空気は、第一送風機１２により送風されて、第一給気路３０を流動する。ここで、第一給気路３０を流動する空気は、第一給気口１ｂを介して第一空間１へと取り入れられる空気、及び、第一給気路３０の途中からバイパス給気路７０に取り入れられて、第二給気路６０の一部の流路（第二給気路６０とバイパス給気路７０との接続位置よりも下流の流路）、及び第二給気口２ｂを介して第二空間２へと取り入れられる空気の二手に別れる。
【００５３】
このうち、第一空間１に取り入れられた空気は、第一還気口１ａ、及び第一還気路２０を介して再び第一空調機１０へと還気する。また、第二空間２に取り入れられた空気は、第一還気口１ａにて空気の吸込みが行われていることにより第一空間１が第二空間２よりも負圧になるため、開口部３を介して第一空間１へと流動する。そして、このように第一空間１に取り入れられた空気は第一還気口１ａ、及び第一還気路２０を介して再び第一空調機１０へと還気する。なお、第二給気ダンパＭＤ２は閉じられており、第二送風機４２は稼働を停止しているため、気圧の関係上、第二空間２に取り入れられた空気は第二還気口２ａに取り入れられることはない。すなわち、第二還気路５０、第二空調機４０、第二給気路６０の一部（第二給気路６０とバイパス給気路７０との接続位置よりも上流の流路）には、空気が流動しないこととなる。
【００５４】
このように、緊急時においては、第一給気路３０と第二給気路６０とを接続するバイパス給気路７０に空気が流動するため、第一熱交換器１１にて熱交換された空気を第二空間２に対して送風することができる。また、開閉扉４を開放することにより第一空間１と第二空間２との相互間の開口部３に空気が流動するため、第二空間２に送風した空気を還気として第一空調機１０に再度取り入れることが可能となる。ここで、第二空間２に空気を流動させるためには、気圧の関係上、第二空間２に空気を供給するだけでなく、第二空間２から空気を排出して気圧を低下させる必要がある。このような目的を達成するには、本実施の形態１のように開閉扉４を設けるまでもなく、例えば第二空間２に排気口（図示省略）を設けて外部空間とダクトで接続し、公知のファン等で排気を行うことにより第二空間２の気圧を低下可能である。しかし、本実施の形態１のように、開口部３を介して空気を流動させることにより、第二空間２に形成した排気口（図示省略）のみから外部空間へと排気を行う場合と比べて、第二空間２の気圧をより一層低下させることができ、よりスムーズに空気を流動させることが可能となる。なお、このように第二空間２の空気を還気させずに、第二空間２に形成した排気口（図示省略）のみから外部空間へと排気を行っても構わない。また、第二給気ダンパＭＤ２を閉めているため、故障している第二熱交換器４１に空気が流動してしまうことに起因して、当該故障の要因が、第一系統の機器等に悪影響を及ぼすことを防止することが可能となる。以上により、本実施の形態１において実行される処理の説明を終了する。
【００５５】
（実施の形態の効果）
このように本実施の形態によれば、第二熱交換器４１又は第二送風機４２の非稼働時に、第一熱交換器１１から、第一空間１及び第二空間２を介して、第一熱交換器１１へと空気を流動させるので、第二熱交換器４１又は第二送風機４２が故障した際やこれらのメンテナンスを行う際においても、第一熱交換器１１にて冷却又は加熱された空気を第二空間２に対して送風でき、第一熱交換器１１を第一空間１と第二空間２とに共有できるので、熱交換器や送風機の設置台数を低減した簡素な構成で各空間の冗長化を図る事ができ、各空間が無空調状態となってしまうリスクを低減することが可能となる。
【００５６】
また、第一還気路２０、第一給気路３０、第二還気路５０、及び第二給気路６０を介することなく、第一空間１及び第二空間２の相互間に空気を流動可能としたので、極めて簡素な構成により第一空間１及び第二空間２を介して空気を流動させることが可能となる。
【００５７】
また、通常時に閉鎖状態となり、第二熱交換器４１又は第二送風機４２の非稼働時に開放状態となる開閉扉４を備えるので、通常時には第一空間１及び第二空間２の相互間に空気を流動不能とすることで、各空間を相互に異なる空調条件に設定可能となると共に、第二熱交換器４１又は第二送風機４２の非稼働時には第一空間１及び第二空間２の相互間に空気を流動可能とすることで、第二空間２が無空調状態となってしまうことに伴うリスクを低減することが可能となる。
【００５８】
また、第一給気路３０と第二給気路６０とを相互に接続するバイパス給気路７０を備えるので、極めて簡素な構成により第一熱交換器１１から第二空間２へと空気を流動させることができ、第二空間２が無空調状態となってしまうことに伴うリスクを低減することが可能となる。
【００５９】
（実施の形態２）
続いて、実施の形態２について説明する。なお、実施の形態２の構成は、特記する場合を除いて実施の形態１の構成と略同一であり、実施の形態１の構成と略同一の構成についてはこの実施の形態１で用いたのと同一の符号を必要に応じて付して、その説明を省略する。
【００６０】
（構成−空調システム）
最初に、本実施の形態２に係る空調システム２００の構成を説明する。図２は、本実施の形態２に係る空調システム２００を概略的に示す側面図であって、図２（ａ）は通常時、図２（ｂ）は緊急時を示す図である。この図２に示すように、空調システム２００は、概略的に、第一空調機１０、第一還気路２０、第一給気路３０、第二空調機４０、第二還気路５０、第二給気路６０、バイパス還気路８０、第一給気ダンパＭＤ１、第二給気ダンパＭＤ２、及びバイパス還気ダンパＭＤ４を備え、これに加えて図示しない制御部を備えて構成されている。なお、バイパス還気路８０及びバイパス還気ダンパＭＤ４以外の各構成要素については、実施の形態１と同様に構成することが可能であるためその詳細な説明を省略する。
【００６１】
（構成−空調システム−バイパス還気路）
バイパス還気路８０は、第一還気路２０と第二還気路５０とを相互に接続するバイパス手段であって、公知のダクトとして構成されている。具体的には、バイパス還気路８０は、第一還気路２０におけるいずれかの位置と、第二還気路５０におけるいずれかの位置とを相互に空気が流動可能となるように接続している。このバイパス還気路８０の流路にはバイパス還気ダンパＭＤ４が設けられており、このバイパス還気ダンパＭＤ４の開度を調節することにより、バイパス還気路８０を流動する空気の流量を調節することができる。
【００６２】
（構成−空調システム−バイパス還気ダンパ）
バイパス還気ダンパＭＤ４は、バイパス還気路８０の風量を調節する風量調節手段であって、公知のダンパとして構成されている。なお、このバイパス還気ダンパＭＤ４は第一給気ダンパＭＤ１等の他のダンパと同様に構成できるため、その詳細な説明を省略する。
【００６３】
（処理）
続いて、このように構成された空調システム２００により実行される処理について説明する。なお、制御部の電源がＯＮとなった場合には実施の形態１と同様に、制御部は第一空調機１０及び第二空調機４０を稼働させると共に、第一熱交換器１１、第一送風機１２、第二熱交換器４１、及び第二送風機４２が正常に稼働しているかを監視する。
【００６４】
（処理−通常時）
まずは、通常時に空調システム２００にて実行される処理について、図２（ａ）を参照して説明する。なお、実施の形態１と同様に、制御部が、第一熱交換器１１、第一送風機１２、第二熱交換器４１、及び第二送風機４２のいずれもが正常に稼働していると判定した場合、以下に示す処理を実行するものとして説明する。
【００６５】
まず、制御部は、バイパス還気ダンパＭＤ４を閉じることによりバイパス還気路８０における空気の流動を不能とし、また、第一給気ダンパＭＤ１及び第二給気ダンパＭＤ２を開けることにより第一給気路３０及び第二給気路６０における空気の流動を可能とする。また、制御部は、開閉扉４を閉鎖状態とすることにより、第一空間１及び第二空間２の相互間における、開口部３を介した空気の流動を不能とする。
【００６６】
このような状態において第一空調機１０及び第二空調機４０が稼働している場合、第一空調機１０の第一熱交換器１１により熱交換された空気は、第一送風機１２により送風されて、第一給気路３０、及び第一給気口１ｂを介して第一空間１へと送風される。そして第一空間１に送風された空気は、第一還気口１ａ、及び第一還気路２０を介して再び第一空調機１０へと還気する。また、第二空調機４０の第二熱交換器４１により熱交換された空気は、第二送風機４２により送風されて、第二給気路６０、及び第二給気口２ｂを介して第二空間２へと送風される。そして第二空間２に送風された空気は、第二還気口２ａ、及び第二還気路５０を介して再び第二空調機４０へと還気する。
【００６７】
（処理−緊急時）
次に、緊急時に空調システム２００にて実行される処理について、図２（ｂ）を参照して説明する。なお、実施の形態１と同様に本実施の形態２においても第二熱交換器４１が故障した場合を想定する。そして制御部が、第二熱交換器４１が正常に稼働していないと判定した場合、以下に示す処理を実行するものとして説明する。
【００６８】
まず、制御部はバイパス還気ダンパＭＤ４を開けることによりバイパス還気路８０における空気の流動を可能とし、第二給気ダンパＭＤ２を閉じることにより第二給気路６０における当該第二給気ダンパＭＤ２が取り付けられた位置での空気の流動を不能とする。なお、制御部は、第一給気ダンパＭＤ１を通常時と同様に開けた状態に維持する。また、制御部は、開閉扉４を開放状態とすることにより、第一空間１及び第二空間２の相互間における、開口部３を介した空気の流動を可能とする。また、制御部は、第二熱交換器４１が稼働していない以上、第二送風機４２を稼働させることに意味は無いと判断して、第二送風機４２を非稼働とさせる。
【００６９】
このような状態において第一空調機１０が正常に稼働している場合、第一空調機１０の第一熱交換器１１により熱交換された空気は、第一送風機１２により送風されて、第一給気路３０、及び第一給気口１ｂを介して、第一空間１に取り入れられる。ここで、第一空間１においては給気と還気が行われている一方で、第二空間２においては給気が行われず還気のみが行われていることにより、第二空間２が第一空間１よりも負圧になっている。そのため、第一空間１に取り入れられた空気は、第一還気口１ａに取り入れられる空気、及び、第二空間２に取り入れられる空気の二手に別れて流動する。そして、第一還気口１ａに取り入れられた空気は、第一還気路２０を介して再度第一空調機１０へと取り入れられる。また、第二空間２に取り入れられた空気は、第二還気口２ａ、第二還気路５０の一部の流路（第二還気路５０とバイパス還気路８０との接続位置よりも上流の流路）、バイパス還気路８０、第一還気路２０の一部の流路（第一還気路２０とバイパス還気路８０との接続位置よりも下流の流路）を順次介して再度第一空調機１０に取り入れられる。なお、第二給気ダンパＭＤ２は閉じられており、第二送風機４２は稼働を停止しているため、気圧の関係上、第二還気口２ａから取り入れられた空気は、第二還気路５０におけるバイパス還気路８０の接続位置よりも下流の流路を流動することはない。すなわち、第二還気路５０の一部（第二還気路５０とバイパス還気路８０との接続位置よりも下流の流路）、第二空調機４０、及び第二給気路６０には空気が流動しないこととなる。
【００７０】
このように、緊急時においては、開閉扉４を開放することにより第一空間１と第二空間２との相互間の開口部３に空気が流動するため、第一空調機１０により空調された空気を、極めて簡素な構成により、当該開口部３を介して第二空間２へと取り入れることが可能となる。また、第一還気路２０と第二還気路５０とを接続するバイパス還気路８０に空気が流動するため、第二空間２に送風した空気を還気として第一空調機１０に再度取り入れることが可能となる。したがって、実施の形態１と同様に、第二空間２に形成した排気口（図示省略）のみから外部空間へと排気を行う場合と比べて、第二空間２の気圧をより一層低下させることができ、よりスムーズに空気を流動させることが可能となる。なお、このように第二空間２の空気を還気させずに、第二空間２に形成した排気口（図示省略）のみから外部空間へと排気を行っても構わない。また、第二給気ダンパＭＤ２を閉めているため、故障している第二熱交換器４１に空気が流動してしまうことに起因して、当該故障の要因が、第一系統の機器等に悪影響を及ぼすことを防止することが可能となる。以上により、本実施の形態２において実行される処理の説明を終了する。
【００７１】
（実施の形態の効果）
このように本実施の形態２によれば、第一還気路２０と第二還気路５０とを相互に接続するバイパス還気路８０を備えるので、極めて簡素な構成により第二空間２の気圧を低下させて、第一熱交換器１１にて冷却又は加熱された空気を第二空間２に対して呼び込むことができ、第二空間２が無空調状態となってしまうことに伴うリスクを低減することが可能となる。
【００７２】
（実施の形態３）
続いて、実施の形態３について説明する。なお、実施の形態３の構成は、特記する場合を除いて実施の形態１及び実施の形態２の構成と略同一であり、実施の形態１及び実施の形態２の構成と略同一の構成についてはこの実施の形態１及び実施の形態２で用いたのと同一の符号を必要に応じて付して、その説明を省略する。
【００７３】
（構成−空調システム）
最初に、本実施の形態３に係る空調システム３００の構成を説明する。図３は、本実施の形態３に係る空調システム３００を概略的に示す側面図であって、図３（ａ）は通常時、図３（ｂ）は緊急時を示す図である。この図３に示すように、空調システム３００は、概略的に、第一空調機１０、第一還気路２０、第一給気路３０、第二空調機４０、第二還気路５０、第二給気路６０、バイパス還気路８０、バイパス給気路７０、第一給気ダンパＭＤ１、第二給気ダンパＭＤ２、バイパス還気ダンパＭＤ４、及びバイパス給気ダンパＭＤ３を備え、これに加えて図示しない制御部を備えて構成されている。なお、いずれの構成要素についても、実施の形態１又は実施の形態２において説明した構成と同様に構成することが可能であるためその詳細な説明を省略する。
【００７４】
ここで、本実施の形態３に係る第一空間１及び第二空間２は、図３に示すように隣接しておらず、実施の形態１や実施の形態２に示すような開口部３を介して接続されていない。このように、本実施の形態３は、開口部３を有さない場合においても、緊急時に第一空間１及び第二空間２の両方を無空調状態としないための空調システム３００に関する形態である。
【００７５】
（処理）
続いて、このように構成された空調システム３００により実行される処理について説明する。なお、制御部の電源がＯＮとなった場合には実施の形態１と同様に、制御部は第一空調機１０及び第二空調機４０を稼働させると共に、第一熱交換器１１、第一送風機１２、第二熱交換器４１、及び第二送風機４２が正常に稼働しているかを監視する。
【００７６】
（処理−通常時）
まずは、通常時に空調システム３００にて実行される処理について、図３（ａ）を参照して説明する。なお、実施の形態１や実施の形態２と同様に、第一熱交換器１１、第一送風機１２、第二熱交換器４１、及び第二送風機４２のいずれもが正常に稼働していると判定した場合、以下に示す処理を実行するものとして説明する。
【００７７】
まず、制御部は、バイパス給気ダンパＭＤ３を閉じることによりバイパス給気路７０における空気の流動を不能とし、さらに、バイパス還気ダンパＭＤ４を閉じることによりバイパス還気路８０における空気の流動を不能とする。また、第一給気ダンパＭＤ１及び第二給気ダンパＭＤ２を開けることにより第一給気路３０及び第二給気路６０における空気の流動を可能とする。
【００７８】
このような状態において第一空調機１０及び第二空調機４０が稼働している場合、第一空調機１０の第一熱交換器１１により熱交換された空気は、第一送風機１２により送風されて、第一給気路３０、及び第一給気口１ｂを介して第一空間１へと送風される。そして第一空間１に送風された空気は、第一還気口１ａ、及び第一還気路２０を介して再び第一空調機１０へと還気する。また、第二空調機４０の第二熱交換器４１により熱交換された空気は、第二送風機４２により送風されて、第二給気路６０、及び第二給気口２ｂを介して第二空間２へと送風される。そして第二空間２に送風された空気は、第二還気口２ａ、及び第二還気路５０を介して再び第二空調機４０へと還気する。
【００７９】
（処理−緊急時）
次に、緊急時に空調システム３００にて実行される処理について、図３（ｂ）を参照して説明する。なお、実施の形態１や実施の形態２と同様に本実施の形態３においても第二熱交換器４１が故障した場合を想定する。そして制御部が、第二熱交換器４１が正常に稼働していないと判定した場合、以下に示す処理を実行するものとして説明する。
【００８０】
まず、制御部は、バイパス還気ダンパＭＤ４を開けることによりバイパス還気路８０における空気の流動を可能とし、さらに、バイパス給気ダンパＭＤ３を開けることによりバイパス給気路７０における空気の流動を可能とする。また、第二給気ダンパＭＤ２を閉じることにより第二給気路６０における当該第二給気ダンパＭＤ２が取り付けられた位置での空気の流動を不能とする。なお、制御部は、第一給気ダンパＭＤ１を通常時と同様に開けた状態に維持する。また、制御部は、第二熱交換器４１が稼働していない以上、第二送風機４２を稼働させることに意味は無いと判断して、第二送風機４２を非稼働とさせる。
【００８１】
このような状態において第一空調機１０が正常に稼働している場合、第一空調機１０の第一熱交換器１１により熱交換された空気は、第一送風機１２により送風されて、第一給気路３０を流動する。ここで、第一給気路３０を流動する空気は、第一給気口１ｂを介して第一空間１へと取り入れられる空気、及び第一給気路３０の途中からバイパス給気路７０に取り入れられて、第二給気路６０の一部の流路（第二給気路６０とバイパス給気路７０との接続位置よりも下流の流路）、及び第二給気口２ｂを介して第二空間２へと取り入れられる空気の二手に別れる。
【００８２】
ここで、第一空間１に取り入れられた空気は、第一還気口１ａ、及び第一還気路２０を介して再び第一空調機１０へと還気する。また、第二空間２に取り入れられた空気は、第二還気口２ａ、第二還気路５０の一部の流路（第二還気路５０とバイパス還気路８０との接続位置よりも上流の流路）、バイパス還気路８０、第一還気路２０を順次介して再度第一空調機１０に取り入れられる。
【００８３】
このように、緊急時においては、第一給気路３０と第二給気路６０とを接続するバイパス給気路７０に空気が流動するため、第一熱交換器１１にて熱交換された空気を第二空間２に対して送風することができる。また、第一還気路２０と第二還気路５０とを接続するバイパス還気路８０に空気が流動するため、第二空間２に送風した空気を還気として第一空調機１０に再度取り入れることが可能となる。したがって、実施の形態１と同様に、第二空間２に形成した排気口（図示省略）のみから外部空間へと排気を行う場合と比べて、第二空間２の気圧をより一層低下させることができ、よりスムーズに空気を流動させることが可能となる。なお、このように第二空間２の空気を還気させずに、第二空間２に形成した排気口（図示省略）のみから外部空間へと排気を行っても構わない。また、第二給気ダンパＭＤ２を閉めているため、故障している第二熱交換器４１に空気が流動してしまうことに起因して、当該故障の要因が、第一系統の機器等に悪影響を及ぼすことを防止することが可能となる。以上により、本実施の形態３において実行される処理の説明を終了する。
【００８４】
（実施の形態の効果）
このように本実施の形態３によれば、第一空間１及び第二空間２が、第一還気路２０、第一給気路３０、第二還気路５０、及び第二給気路６０のいずれかの流路以外の流路により相互に接続されていない場合においても、第一熱交換器１１にて冷却又は加熱された空気を第二空間２に対して送風でき、第一熱交換器１１を第一空間１と第二空間２とに共有できるので、熱交換器や送風機の設置台数を低減した簡素な構成で各空間の冗長化を図る事ができ、各空間が無空調状態となってしまうリスクを低減することが可能となる。
【００８５】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８６】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、各実施の形態に係る空調システム３００の処理によって各空間が無空調状態となってしまうリスクを低減できない場合や従来と同程度のリスクを奏する場合であっても、従来と異なる技術により冗長化が達成できている場合には、本願発明の課題が解決されている。
【００８７】
（空調システムが適用される空間について）
各実施の形態では、水平方向に沿って並設された第一空間１及び第二空間２に対して当該空調システム１００、２００、３００を適用するものとして説明したが、少なくとも複数の空間である限りにおいて空調システム１００、２００、３００を任意の空間に対して適用することができる。例えば、３つ以上の空間に対して同様にバイパス給気路７０やバイパス還気路８０を介して接続することにより、３つ以上の空間の冗長化を図ることが可能である。また、水平方向に限らず例えば鉛直方向に沿って並設された複数の空間等にも同様に構成することが可能である。特に実施の形態３のような構成においては、複数の空間がそれぞれ点在している場合においても、バイパス給気路７０及びバイパス還気路８０により各空間の給気路や還気路を接続することで、当該点在する複数の空間を容易に冗長化することが可能となる。
【００８８】
また、実施の形態１や実施の形態２においては、第一空間１及び第二空間２は壁部を隔てて相互に隣接しており、壁部に設けられた開口部３を介して相互に接続されているものとして説明したがこれに限られない。例えば第一空間１と第二空間２が壁部を隔てて隣接しておらず遠隔の位置に配置されており、第一空間１と第二空間２をダクトで相互に接続するものとしても構わない。また、開閉扉４の代わりに、当該ダクトの流量を調節するダンパを設けて、通常時には当該ダンパを閉めて、緊急時には当該ダンパを開けても良い。
【００８９】
（制御部について）
各実施の形態においては、空調システム１００、２００、３００を構成する各装置が制御部により電動制御されるものとして説明したが、これに限らずユーザが手動で各ダンパの開閉等を行っても良い。特に開閉扉４については、気圧差により自動的に開閉可能に形成しても構わない。
【００９０】
（緊急時について）
各実施の形態においては、第二熱交換器４１が故障した場合を緊急時として説明したが、これに限られない。例えば第二送風機４２が故障した場合、第二熱交換器４１と第二送風機４２の両方が故障した場合、第二給気路６０や第二還気路５０が破損した場合、第二給気ダンパＭＤ２が故障した場合、又は第二系統のいずれかをメンテナンスする場合等のように、第二熱交換器４１又は第二送風機４２を非稼働とさせるべき何らかの理由がある場合を緊急時としても良い。また、第一熱交換器１１等の第一系統が故障した場合には、上述した各実施の形態に係る説明における「第一」と「第二」の用語を入れ替えることにより同様に説明することが可能となる。
【００９１】
（給気口及び還気口について）
各実施の形態においては第一還気口１ａ、第一給気口１ｂ、第二還気口２ａ、及び第二給気口２ｂを天井部に配置するものとして説明したが、これに限られない。例えばこれらのいずれか一つ、または全部を床部や壁部に設置しても構わない。特に、実施の形態１においては第二給気口２ｂを開閉扉４から遠い位置に配置することにより、より効果的に第二空間２の全体に空調された空気を行き渡らせることが可能であり、実施の形態２においては第二還気口２ａを開閉扉４から遠い位置に配置することにより、より効果的に第二空間２の全体に空調された空気を行き渡らせることが可能である。
【００９２】
（付記）
付記１の空調システムは、第一空間及び第二空間に対する空調を行う空調システムであって、前記第一空間に対して第一還気路及び第一給気路を介して接続された第一熱交換手段であって、空気の冷却又は加熱を行う第一熱交換手段と、前記第二空間に対して第二還気路及び第二給気路を介して接続された第二熱交換手段であって、空気の冷却又は加熱を行う第二熱交換手段と、前記第一熱交換手段にて冷却又は加熱された空気の送風を行う第一送風手段と、前記第二熱交換手段にて冷却又は加熱された空気の送風を行う第二送風手段と、を備え、通常時において、前記第一熱交換手段から、前記第一給気路、前記第一空間、及び前記第一還気路を順次介して、前記第一熱交換手段へと前記第一送風手段を用いて空気を流動させると共に、前記第二熱交換手段から、前記第二給気路、前記第二空間、及び前記第二還気路を順次介して、前記第二熱交換手段へと前記第二送風手段を用いて空気を流動させ、前記第二熱交換手段又は前記第二送風手段の非稼働時において、前記第一熱交換手段から、前記第一空間及び前記第二空間を少なくとも介して、前記第一熱交換手段へと前記第一送風手段を用いて空気を流動させる。
【００９３】
付記２の空調システムは、付記１に記載の空調システムにおいて、前記第一還気路、前記第一給気路、前記第二還気路、及び前記第二給気路を介することなく、前記第一空間及び前記第二空間の相互間に空気を流動可能とした。
【００９４】
付記３の空調システムは、付記２に記載の空調システムにおいて、前記第一空間及び前記第二空間は、前記第一空間及び前記第二空間の相互間に開閉自在に形成された開閉扉により相互に接続され、前記開閉扉は、前記通常時に閉鎖状態となることにより、前記第一空間及び前記第二空間の相互間に空気を流動不能とし、前記第二熱交換手段又は前記第二送風手段の非稼働時に開放状態となることにより、前記第一空間及び前記第二空間の相互間に空気を流動可能とする。
【００９５】
付記４の空調システムは、付記２又は３に記載の空調システムにおいて、前記第一給気路と前記第二給気路とを相互に接続するバイパス給気路を備え、前記第二熱交換手段又は前記第二送風手段の非稼働時において、前記第一熱交換手段から、前記第一給気路、前記バイパス給気路、及び前記第二給気路を順次介して、前記第二空間へと前記第一送風手段を用いて空気を流動させる。
【００９６】
付記５の空調システムは、付記２から４のいずれか一項に記載の空調システムにおいて、前記第一還気路と前記第二還気路とを相互に接続するバイパス還気路を備え、前記第二熱交換手段又は前記第二送風手段の非稼働時において、前記第二空間から、前記第二還気路、前記バイパス還気路、及び前記第一還気路を順次介して、前記第一熱交換手段へと前記第一送風手段を用いて空気を流動させる。
【００９７】
（付記の効果）
付記１に記載の空調システムによれば、第二熱交換手段又は第二送風手段の非稼働時に、第一熱交換手段から、第一空間及び第二空間を介して、第一熱交換手段へと空気を流動させるので、第二熱交換手段又は第二送風手段が故障した際やこれらのメンテナンスを行う際においても、第一熱交換手段にて冷却又は加熱された空気を第二空間に対して送風でき、第一熱交換手段を第一空間と第二空間とに共有できるので、熱交換手段や送風手段の設置台数を低減した簡素な構成で各空間の冗長化を図る事ができ、各空間が無空調状態となってしまうリスクを低減することが可能となる。
【００９８】
付記２に記載の空調システムによれば、第一還気路、第一給気路、第二還気路、及び第二給気路を介することなく、第一空間及び第二空間の相互間に空気を流動可能としたので、極めて簡素な構成により第一空間及び第二空間を介して空気を流動させることが可能となる。
【００９９】
付記３に記載の空調システムによれば、通常時に閉鎖状態となり、第二熱交換手段又は第二送風手段の非稼働時に開放状態となる開閉扉を備えるので、通常時には第一空間及び第二空間の相互間に空気を流動不能とすることで、各空間を相互に異なる空調条件に設定可能となると共に、第二熱交換手段又は第二送風手段の非稼働時には第一空間及び第二空間の相互間に空気を流動可能とすることで、第二空間が無空調状態となってしまうことに伴うリスクを低減することが可能となる。
【０１００】
付記４に記載の空調システムによれば、第一給気路と第二給気路とを相互に接続するバイパス給気路を備えるので、極めて簡素な構成により第一熱交換手段から第二空間へと空気を流動させることができ、第二空間が無空調状態となってしまうことに伴うリスクを低減することが可能となる。
【０１０１】
付記５に記載の空調システムによれば、第一還気路と第二還気路とを相互に接続するバイパス還気路を備えるので、極めて簡素な構成により第二空間の気圧を低下させて、第一熱交換手段にて冷却又は加熱された空気を第二空間に対して呼び込むことができ、第二空間が無空調状態となってしまうことに伴うリスクを低減することが可能となる。
【符号の説明】
【０１０２】
１  第一空間
１ａ  第一還気口
１ｂ  第一給気口
２  第二空間
２ａ  第二還気口
２ｂ  第二給気口
３  開口部
４  開閉扉
１０  第一空調機
１１  第一熱交換器
１２  第一送風機
２０  第一還気路
３０  第一給気路
４０  第二空調機
４１  第二熱交換器
４２  第二送風機
５０  第二還気路
６０  第二給気路
７０  バイパス給気路
８０  バイパス還気路
１００  空調システム
２００  空調システム
３００  空調システム
ＭＤ１  第一給気ダンパ
ＭＤ２  第二給気ダンパ
ＭＤ３  バイパス給気ダンパ
ＭＤ４  バイパス還気ダンパ
【図１】
2015212588.tif 000003
【図２】
2015212588.tif 000004
【図３】
2015212588.tif 000005